(57)【要約】  本発明は、真円度を向上させたハウジングを使用することにより、ステータに発生する面圧の部分的な増大を抑制し、信頼性を向上させた回転電機を提供する。  本発明の回転電機は、ロータと、ステータと、ステータを外周側から固定する筒状のハウジングと、を有し、ハウジングは、外周面の軸方向端部に、外周方向に伸長したフランジを有し、フランジは、周方向に伸長する凹部を有する。
2020026742.tif 000002
【特許請求の範囲】
【請求項１】
ロータと、ステータと、前記ステータを外周側から固定する筒状のハウジングと、を有し、
前記ハウジングは、外周面の軸方向端部に、外周方向に伸長したフランジを有し、前記フランジは、周方向に伸長する凹部を有することを特徴とする回転電機。
【請求項２】
前記フランジに形成される複数のタブを有し、
前記凹部は、前記タブが形成されるフランジに形成されることを特徴とする請求項１に記載の回転電機。
【請求項３】
前記凹部は、前記タブが形成されるフランジ及び前記タブが形成されないフランジに形成されることを特徴とする請求項２に記載の回転電機。
【請求項４】
前記凹部は、前記フランジの周方向に複数個所断続的に形成されることを特徴とする請求項１に記載の回転電機。
【請求項５】
前記凹部は、前記タブが形成されるフランジに、周方向に断続的に、形成されることを特徴とする請求項２に記載の回転電機。
【請求項６】
前記ハウジングの内周部であって、前記凹部が形成される反対面に凸部を有することを特徴とする請求項１、請求項２又は請求項３に記載の回転電機。
【請求項７】
前記凸部は、前記ステータと前記ハウジングとの接地面から離れて形成されることを特徴とする請求項６に記載の回転電機。
【請求項８】
前記凹部及び前記凸部は、前記ハウジングの周方向に対して、略等ピッチに形成されることを特徴とする請求項６に記載の回転電機。
【請求項９】
ステータを外周側から固定する筒状のハウジングであって、
前記ハウジングは、平板よりプレス加工又は絞り加工によって形成され、外周面の軸方向端部に、外周方向に伸長したフランジを有し、前記フランジは、周方向に伸長する複数の凹部を有することを特徴とするハウジングを有するステータ。
【請求項１０】
前記フランジに形成される複数のタブを有し、
前記凹部は、前記タブが形成されるフランジに形成されると共に、
前記ハウジングの内周部であって、前記凹部が形成される反対面に凸部を有することを特徴とする請求項９に記載のステータ。
【発明の詳細な説明】
【技術分野】
【０００１】
本発明は、回転電機に関する。
【背景技術】
【０００２】
本技術分野の背景技術として、特開２０１１−２３９５７６号公報（特許文献１）がある。この公報には、ステータを嵌合するハウジングに、半径方向に屈曲すると共に回転軸方向に延びたひだ部を形成し、このひだ部が伸張することで、ステータの各々の部材にある寸法上のばらつきを吸収し、ステータに発生する面圧の増大を抑制する回転電機が記載されている。
【先行技術文献】
【特許文献】
【０００３】
【特許文献１】特開２０１１−２３９５７６号公報
【発明の概要】
【発明が解決しようとする課題】
【０００４】
前記特許文献１には、ステータに発生する面圧の増大を抑制する回転電機が記載されている。しかし、特許文献１に記載の回転電機は、ハウジングの端部が溶接される構造であり、この溶接に伴う材料の塑性変形が懸念される。また、ハウジングの端部が溶接されることにより、ハウジングの真円度の悪化が懸念される。【０００５】
そこで、本発明は、真円度を向上させたハウジングを使用することにより、ステータに発生する面圧の増大を抑制し、信頼性を向上させた回転電機を提供する。
【課題を解決するための手段】
【０００６】
上記課題を解決するために、本発明の回転電機は、ロータと、ステータと、ステータを外周側から固定する筒状のハウジングと、を有し、ハウジングは、外周面の軸方向端部に、外周方向に伸長したフランジを有し、フランジは、周方向に伸長する凹部を有する。
【発明の効果】
【０００７】
本発明によれば、真円度を向上させたハウジングを使用することにより、ステータに発生する面圧の増大を抑制し、信頼性を向上させた回転電機を提供することができる。【０００８】
上記した以外の課題、構成及び効果は、以下の実施例の説明により明らかにされる。
【図面の簡単な説明】
【０００９】
【図１】本実施例に係る回転電機１００の分解斜視図である。
【図２】本実施例に係る回転電機１００の外観斜視図である。
【図３】本実施例に係る回転電機１００の部分外観斜視図である。
【図４】本実施例に係るハウジング４００の外観斜視図である。
【図５】本実施例に係る回転電機１００の部分断面図である。
【図６】本実施例に係るハウジングの真円度がステータの磁気特性（磁界強度と磁束密度との関係）に影響を与える説明図である。
【図７】本実施例に係るハウジングの真円度がステータの磁気特性（磁束密度と鉄損との関係）に影響を与える説明図である。
【図８（ａ）】比較例に係るハウジング４００の製造方法の第１工程を示す斜視図である。
【図８（ｂ）】比較例に係るハウジング４００の製造方法の第２工程を示す説明図である。
【図８（ｃ）】比較例に係るハウジング４００の製造方法の第３工程を示す説明図である。
【図８（ｄ）】比較例に係るハウジング４００の製造方法の第４工程を示す説明図である。
【図８（ｅ）】比較例に係るハウジング４００の製造方法の第５工程を示す説明図である。
【図８（ｆ）】比較例に係るハウジング４００の製造方法の第６工程を示す説明図である。
【図９（ａ）】本実施例に係るハウジング４００の製造方法の第１工程を示す斜視図である。
【図９（ｂ）】本実施例に係るハウジング４００の製造方法の第２工程を示す説明図である。
【図９（ｃ）】本実施例に係るハウジング４００の製造方法の第３工程を示す説明図である。
【図９（ｄ）】本実施例に係るハウジング４００の製造方法の第４工程を示す説明図である。
【図９（ｅ）】本実施例に係るハウジング４００の製造方法の第５工程を示す説明図である。
【図９（ｆ）】本実施例に係るハウジング４００の製造方法の第６工程を示す説明図である。
【図１０】別の実施例に係るハウジング４００の部分外観斜視図である。
【発明を実施するための形態】
【００１０】
以下、図面を用いて、本発明の実施例を説明する。なお、各図面において、同一の構成には同一の符号を付し、重複する部分については、その説明を省略する場合がある。
【実施例１】
【００１１】
自動車用や発電機用等の回転電機は、高出力化が求められており、高出力化に伴い、回転電機も大型化されている。これにより、回転電機のハウジングによって嵌合されるステータの保持力も大きくなり、それに伴いステータに発生する面圧も増大する。【００１２】
こうしたステータに発生する面圧が増大した場合には、ステータの端面に位置する電磁鋼板が損傷する可能性があり、ステータへの応力を低減させることが重要である。【００１３】
図１は、本実施例に係る回転電機１００の分解斜視図である。【００１４】
回転電機１００は、ロータ２００とステータ３００とハウジング４００とにより構成される。特に、自動車用モータや発電機用モータは、高出力化が求められており、高出力化に伴い、回転電機１００も大型化する。【００１５】
ロータ２００は、複数のロータ鉄心と、永久磁石とにより構成されている。複数のロータ鉄心は、回転軸方向に並べられ、互いにスキュー（トルク脈動が抑制）される。【００１６】
ステータ３００は、分割したコアと、このコアに巻回したコイルと、により構成される。ステータ３００は、その外周がハウジング４００の内周と焼嵌めにより固定される。【００１７】
ハウジング４００は、回転電機１００の大型化に伴い、例えば、電動車両に搭載する場合には、その電動車両の振動に耐えるため、ハウジング４００の板厚が厚くなる。一方、ハウジング４００は、生産性向上のため、プレス加工や絞り加工により形成される。この板厚の厚肉化に伴い、プレス加工がより好ましい場合がある。【００１８】
つまり、回転電機１００は、ロータ２００と、ステータ３００と、ハウジング４００とを有し、ハウジング４００は、筒状であり、ステータ３００を外周側から固定する。【００１９】
図２は、本実施例に係る回転電機１００の外観斜視図である。【００２０】
回転電機１００のハウジング４００は、ステータ３００に焼嵌め固定される。【００２１】
ハウジング４００は、ステータ３００を外周側から締め付けて固定する筒状部４１０を有し、ハウジング４００の外周面の軸方向端部には、フランジ（平面部）４２０が形成される。フランジ４２０の一部には、相手部材（図示せず）との取付面となるタブ（取付面）４３０が形成される。フランジ４２０は、ハウジング４００の外周面の軸方向端部に形成され、ハウジング４００の外周方向に伸長して形成される。【００２２】
また、タブ４３０は、ハウジング４００の外周面の軸方向端部に形成され、ハウジング４００の外周方向に、フランジ４２０よりさらに部分的に伸長して形成される。【００２３】
図３は、本実施例に係る回転電機１００の部分外観斜視図である。【００２４】
ハウジング４００は、ステータ３００に焼嵌め固定され、筒状部４１０、フランジ４２０、タブ４３０を有する。【００２５】
フランジ４２０には、ハウジング４００の外周面の軸方向端部に、周方向に伸長する凹部４５０を有する。これにより、ハウジング４００の真円度を向上させることができ、ステータ３００に発生する面圧の増大を抑制することができる。凹部４５０は、フランジ４２０の厚さに対して、１０％〜１５％の深さであることが好ましい。これにより、ハウジング４００の真円度を向上させることができる。【００２６】
なお、本実施例に記載するハウジング４００を有するステータ３００は、このステータ３００を外周側から固定する筒状のハウジング４００を有し、このハウジング４００は、平板よりプレス加工又は絞り加工によって形成され、外周面の軸方向端部に、外周方向に伸長したフランジ４２０を有し、フランジ４２０は、周方向に伸長する複数の凹部４５０を有する。【００２７】
図４は、本実施例に係るハウジング４００の外観斜視図である。【００２８】
ハウジング４００は、筒状部４１０、フランジ４２０、複数（本実施例では６か所）のタブ４３０を有する。【００２９】
タブ４３０は、ハウジング４００の周方向の長さが異なる２種類のものがあり、ハウジング４００の中心に対して、同種類のタブ４３０が対向するように形成される。【００３０】
フランジ４２０は、ハウジング４００の外周面の軸方向端部に、周方向に伸長する複数（本実施例では８か所）の凹部４５０を有する。これにより、ハウジング４００の真円度を向上させることができ、ステータ３００に発生する面圧の増大を抑制することができる。【００３１】
凹部４５０は、ハウジング４００の周方向に、略等ピッチに形成される。そして、凹部４５０は、タブ４３０が形成されるフランジ４２０に形成されると共に、タブ４３０が形成されないフランジ４２０にも形成される。【００３２】
また、凹部４５０の長さ（ハウジング４００の周方向の凹部４５０の長さ）は、同一であってもよく、タブ４３０の長さに合わせ、長いタブ４３０のフランジ４２０の部分を長く、短いタブ４３０のフランジ４２０の部分を短くしてもよい。【００３３】
つまり、凹部４５０は、フランジ４２０の周方向に複数個所断続的に形成されることになる。【００３４】
また、凹部４５０が形成されるハウジング４００の円筒部４１０の内周面には、凸部４６０が形成される。【００３５】
なお、本実施例に記載するハウジング４００を有するステータ３００は、フランジ４２０に形成される複数のタブ４３０を有し、凹部４５０は、タブ４３０が形成されるフランジ４２０に形成されると共に、凸部４６０は、ハウジング４００の内周部であって、凹部４５０が形成される反対面に形成される。【００３６】
図５は、本実施例に係る回転電機１００の部分断面図である。【００３７】
特に、図５は、ステータ３００とハウジング４００に形成される凸部４６０との位置関係を示す。凸部４６０は、ステータ３００とハウジング４００との接地面から離れて形成される。これにより、ステータ３００と接地するハウジング４００の軸方向の筒状部４１０は真円度が確保され、ステータ３００に発生する面圧を低減することができる。なお、凸部４６０は矩形状の凸部ではなく、滑らかな形状の突出部である。【００３８】
つまり、凸部４６０は、ハウジング４００の内周部であって、凹部４５０が形成される反対面に形成される。これにより凸部４６０も、ハウジング４００の周方向に、略等ピッチに形成される。【００３９】
図６は、本実施例に係るハウジングの真円度がステータの磁気特性（磁界強度と磁束密度との関係）に影響を与える説明図である。【００４０】
図６より、真円度が向上すると、磁界強度に対する磁束密度が上昇することがわかる。【００４１】
図７は、本実施例に係るハウジングの真円度がステータの磁気特性（磁束密度と鉄損との関係）に影響を与える説明図である。【００４２】
図７より、真円度が向上すると、磁束密度に対する鉄損が低減されることがわかる。【００４３】
つまり、真円度が向上すると、ステータ３００に発生する面圧を低減でき、ステータ３００に作用する圧縮応力を低減させることができる。磁気特性が向上し、回転電機の出力が上昇し、または回転電機の効率が上昇する。なお、真円度とは、幾何学的な正しい円からのズレを表すものであり、真円度「良」とは幾何学的な正しい円により近いことを示す。【００４４】
このように、本実施例では、圧縮応力による磁気特性の悪化を抑制することができ、より良いモータ特性を有する回転電機を提供することができる。【００４５】
図８（ａ）〜図８（ｆ）は、比較例に係るハウジング４００の製造方法の第１工程〜第６工程を示す斜視図である。なお、図８（ｂ）〜図８（ｆ）には上図と下図とがあるが、上図は平面図であり、下図は断面図である。【００４６】
ハウジング４００を製造する際、生産性向上のため、図８（ａ）〜図８（ｆ）の順で、圧延されたロール材より、絞り加工の工程を経て、ハウジング４００は製造される。【００４７】
図８（ａ）に示されるように、圧延方向に圧延されるロール材（平板）８１０は、回転するロールの間に板状の材料を通し、所定の寸法に仕上げ製作される。【００４８】
図８（ｂ）に示されるように、ブランク材８２０は、ロール材８１０を所定の形状にプレスによって打ち抜き加工される。【００４９】
図８（ｃ）に示されるように、絞り材８３０は、ブランク材８２０を絞り加工によりお釜形状に加工され、底辺部８３１と、軸方向に形成される筒状部８３２と、径方向に形成される外周部８３３で構成される。後工程での本体部８４１となる筒状部８３２は、筒状に伸びた第１ジグ８９１により絞り加工が施され、良好な真円度で成形される。【００５０】
図８（ｄ）に示されるように、トリミング材８４０は、絞り材８３０の底辺部８３１及び外周部８３３をトリミングすることにより略筒形状となる。つまり、軸方向に筒状に形成される本体部８４１と、径方向に形成されるフランジ部８４２と、そのフランジ部８４２より形成される取付面タブ８４３より構成される。本体部８４１の外周面の軸方向端部とフランジ部８４２とからなる根元部は、鋭角に曲がり、プレス加工時にＲ部が形成される。【００５１】
図８（ｅ）に示されるように、タブ平面出し工程材８５０は、台座である第３ジグ８９３と上方より押圧する第２ジグ８９２とによって、プレス加工される。この際、第２ジグ８９２は、取付面タブ８４３を押圧する。【００５２】
図８（ｆ）に示されるように、こうした工程により、筒状部４１０、フランジ４２０、タブ４３０を有するハウジング４００が製造される。【００５３】
通常、ロール材８１０は、圧延材であり、圧延方向及び圧延方向に対して所定の角度（例えば、４５°方向又は９０°方向）の方向で性質が異なる（異方性がある）ことが知られている。この異方性の現象は、曲げ加工後のスプリングバック量にも影響を及ぼす。【００５４】
このため、図８（ｅ）に示されたタブ平面出し工程材８５０は、すべてのタブを同じ条件でプレス加工しても、図８（ｆ）に示されたハウジング４００（最終形状）は、スプリングバック量が異なり、ハウジング４００の筒状部４１０の真円度にも影響を及ぼす。【００５５】
また、図８（ｃ）に示された絞り材８３０は、真円度が良い第１ジグ８９１を使用し、本体部８４１を形成しても、本体部８４１が第１ジグ８９１から離形される際に、圧延材の異方性により、スプリングバック量の差で真円度は悪くなる。また、トリミング材８４０、タブ平面出し工程材８５０を経ることで、真円度はさらに悪くなる。【００５６】
図９（ａ）〜図９（ｆ）は、本実施例に係るハウジング４００の製造方法の第１工程〜第６工程を示す説明図である。なお、図９（ｂ）〜図９（ｆ）には上図と下図とがあるが、上図は平面図であり、下図は断面図である。また、図９（ａ）〜図９（ｄ）に示される第１工程〜第４工程は、図８（ａ）〜図８（ｄ）に示される第１工程〜第４工程と同様の工程であるため、その説明を省略する。【００５７】
図９（ｅ）に示されるように、タブ平面出し工程材８５０は、台座である第３ジグ８９３と上方より押圧する第２ジグ８９２とによって、プレス成形加工され、平面出しされる。この際、第２ジグ８９２は、フランジ部８４２を押圧し、第２ジグ８９２は、略等ピッチで、フランジ部８４２を押圧する。また、この押圧の際に、ハウジングに凹部が形成され、同時にハウジングに凸部が形成される。【００５８】
つまり、本体部８４１の外周面の軸方向端部とフランジ部８４２とからなる根元部のＲ部に、凹部が形成される。この凹部は、圧延材の異方性によるスプリングバック量の差に起因する変形を矯正し、真円度の悪化を抑制することができる。【００５９】
凹部が、軸方向に伸びて形成させるのではなく、周方向に伸びて形成されるため、スプリングバック量の差に起因する変形を局所的に矯正するのではないため、真円度の悪化を抑制する十分な効果が得られる。凹部を周方向に伸びて形成することで、全体的に矯正することができ、良好な真円度を維持することができる。【００６０】
図９（ｆ）に示されるように、こうした工程により、筒状部４１０、フランジ４２０、タブ４３０を有する良好な真円度を有するハウジング４００が製造される。【００６１】
特に、自動車用回転電機は、高出力化に伴い大型化が進み、嵌合するステータの保持力が大きくなると共に、ハウジングへの必要強度も高くなり、高張力鋼板を選択する機会が増えている。普通鋼板より高張力鋼板の方が、スプリングバック量が大きく、スプリングバックによる真円度の悪化の影響は大きいと考えられるため、本方法によるスプリングバックの抑制は有効である。【００６２】
これにより、圧延材の異方性によるスプリングバック量の差に起因する変形を矯正することができ、真円度の良くハウジングを提供することができる。【００６３】
なお、タブのある面を平面出しすることは、タブの平面度を確保する上で必要であるが、真円度を良くするためには、略等ピッチにプレス成形加工をすることが望ましく、タブが無いフランジもプレス成形加工することが望ましい。これにより、ハウジングは、タブの平面度を確保すると共に、真円度の良い形状を確保することができる。【００６４】
これにより、絞り加工の難しい板厚が厚いハウジングであっても、真円度が良いハウジングを使用することで、ステータに発生する面圧を均一にし、信頼性が高い回転電機を提供することができる。【００６５】
ハウジングの真円度は、ステータの真円度にも影響を及ぼし、磁気音の増加にも影響する。加えて、ステータの真円度に基づいたロータとステータとのエアギャップを考慮する必要があるため、本実施例では、不必要なエアギャップを設定する必要がなく、良好なモータ特性を有する回転電機を提供できる。
【実施例２】
【００６６】
図１０は、別の実施例に係るハウジング４００の部分外観斜視図である。【００６７】
ハウジング４００には、フランジ４２０及びタブ４３０が形成されており、ハウジング４００の外周面の軸方向端部には、周方向に断続的に略等ピッチで凹部４５１が形成される。【００６８】
つまり、凹部４５１は、タブ４３０が形成されるフランジ４２０に、周方向に断続的に形成される。【００６９】
本実施例によれば、真円度を向上させたハウジングを提供することができ、ステータに発生する面圧の部分的な増大を抑制することができる。【００７０】
なお、本発明は上記した実施例に限定されるものではなく、様々な変形例が含まれる。
【符号の説明】
【００７１】
１００  回転電機
２００  ロータ
３００  ステータ
４００  ハウジング
４１０  筒状部
４２０  フランジ
４３０  タブ
４５０  凹部
４６０  凸部
【図１】
2020026742.tif 000003
【図２】
2020026742.tif 000004
【図３】
2020026742.tif 000005
【図４】
2020026742.tif 000006
【図５】
2020026742.tif 000007
【図６】
2020026742.tif 000008
【図７】
2020026742.tif 000009
【図８（ａ）】
2020026742.tif 000010
【図８（ｂ）】
2020026742.tif 000011
【図８（ｃ）】
2020026742.tif 000012
【図８（ｄ）】
2020026742.tif 000013
【図８（ｅ）】
2020026742.tif 000014
【図８（ｆ）】
2020026742.tif 000015
【図９（ａ）】
2020026742.tif 000016
【図９（ｂ）】
2020026742.tif 000017
【図９（ｃ）】
2020026742.tif 000018
【図９（ｄ）】
2020026742.tif 000019
【図９（ｅ）】
2020026742.tif 000020
【図９（ｆ）】
2020026742.tif 000021
【図１０】
2020026742.tif 000022
【国際調査報告】
2020026742.tif 000023
2020026742.tif 000024
2020026742.tif 000025
2020026742.tif 000026